(57)【要約】【課題】レーダー波共用チャンネルを使用して映像データをモニタ部に無線伝送するテレビジョン受信機において、無線データ伝送の中断による視聴番組の見逃しをなくすること。【解決手段】チューナ部１には、受信した番組を記録媒体に録画再生する録画再生部１３を設け、チューナ部１が視聴すべき番組を受信すると録画再生部１３は受信した番組を録画開始する。無線受信部１２による無線送信用空きチャンネル検出のため、受信した番組の無線送信が番組開始時刻に間に合わない場合、または無線送信部１１がレーダー波共用チャンネルを使用して無線送信を開始後、当該チャンネルのレーダー波を検出して無線データ送信を中断する場合、録画再生部１３は記録媒体に記録した番組を追いかけ再生して、無線送信部１１は再生された番組データをモニタ部２に無線送信する。【選択図】図１
2010062968.tif 000002
【特許請求の範囲】
【請求項１】
番組データを受信するチューナ部と番組の映像を表示するモニタ部とを分離し、該チューナ部と該モニタ部とが番組データを無線にて伝送するテレビジョン受信機において、
上記チューナ部は、
受信した番組を記録媒体に録画再生する録画再生部と、
受信した番組または上記録画再生部にて再生した番組のデータを上記モニタ部へ無線送信し、無線送信のために業務用レーダーとチャンネルを共用することが可能な無線送信部と、
無線送信に用いる空きチャンネルを検索し、業務用レーダー波の到来を検出する無線受信部とを有し、
上記チューナ部が視聴すべき番組を受信すると、上記録画再生部は受信した番組を上記記録媒体に録画開始することを特徴とするテレビジョン受信機。
【請求項２】
番組データを受信するチューナ部と番組の映像を表示するモニタ部とを分離し、該チューナ部と該モニタ部とが番組データを無線にて伝送するテレビジョン受信機において、
上記チューナ部は、
受信した番組を記録媒体に録画再生する録画再生部と、
受信した番組または上記録画再生部にて再生した番組のデータを上記モニタ部へ無線送信し、無線送信のために業務用レーダーとチャンネルを共用することが可能な無線送信部と、
無線送信に用いる空きチャンネルを検索し、業務用レーダー波の到来を検出する無線受信部とを有し、
上記無線受信部による業務用レーダーと共用するチャンネルから空きチャンネル検出のため、受信した番組の無線送信が番組開始時刻に間に合わない場合、上記録画再生部は上記記録媒体に記録した番組を追いかけ再生して、上記無線送信部は再生された番組データを上記モニタ部に無線送信することを特徴とするテレビジョン受信機。
【請求項３】
番組データを受信するチューナ部と番組の映像を表示するモニタ部とを分離し、該チューナ部と該モニタ部とが番組データを無線にて伝送するテレビジョン受信機において、
上記チューナ部は、
受信した番組を記録媒体に録画再生する録画再生部と、
受信した番組または上記録画再生部にて再生した番組のデータを上記モニタ部へ無線送信し、無線送信のために業務用レーダーとチャンネルを共用することが可能な無線送信部と、
無線送信に用いる空きチャンネルを検索し、業務用レーダー波の到来を検出する無線受信部とを有し、
上記無線送信部が業務用レーダーとチャンネルを共用して無線送信を開始後、上記無線受信部により当該チャンネルの業務用レーダー波の到来を検出したことにより当該チャンネルでの無線送信を停止し他の使用可能なチャンネルに切り替えるために無線データ送信を中断する場合、上記録画再生部は上記記録媒体に記録した番組を追いかけ再生して、上記無線送信部は再生された番組データを上記モニタ部に無線送信することを特徴とするテレビジョン受信機。
【請求項４】
請求項１に記載のテレビジョン受信機において、
前記無線送信部は、優先度の異なる複数の帯域のいずれかを使用して無線送信するものであって、
前記無線受信部は、優先する帯域の順に空きチャンネルを検索して無線送信するチャンネルに設定し、優先度の低い帯域のチャンネルを設定した場合には、無線送信しながらより優先度の高い帯域の空きチャンネルを検索してそれに切り替えることを特徴とするテレビジョン受信機。
【請求項５】
請求項２または３に記載のテレビジョン受信機において、
前記モニタ部には、無線送信用のチャンネル設定のため番組視聴が遅れる、または中断する旨の警告メッセージを生成する警告表示データ生成部を有し、
前記無線送信部から前記モニタ部へ番組データの無線送信ができない場合、前記モニタ部は上記警告表示データ生成部の生成した警告メッセージを表示することを特徴とするテレビジョン受信機。
【請求項６】
請求項３に記載のテレビジョン受信機において、
前記無線送信部から前記モニタ部へ番組データの無線送信が中断する場合、前記モニタ部は送信中断する直前の静止画を表示することを特徴とするテレビジョン受信機。
【請求項７】
請求項１に記載のテレビジョン受信機において、
前記チューナ部とモニタ部はそれぞれリモコンからの操作信号を受信するリモコン受信部を有し、
前記チューナ部とモニタ部とで無線伝送が可能な場合は、上記リモコンからの操作信号を前記モニタ部のリモコン受信部にて受信して前記チューナ部へ無線伝送し、
前記チューナ部とモニタ部とで無線伝送が不可能な場合は、上記リモコンからの操作信号を前記チューナ部のリモコン受信部にて受信することを特徴とするテレビジョン受信機。
【発明の詳細な説明】
【技術分野】
【０００１】
本発明は、チューナ部とモニタ部とを分離し、チューナ部とモニタ部とが番組データを無線にて伝送するテレビジョン受信機に関する。
【背景技術】
【０００２】
近年、無線ネットワークの１つであるＩＥＥＥ８０２．１１ｎ規格に基づく高速無線ＬＡＮシステムが、家庭内のデジタル情報機器間の情報伝送に利用されようとしている。例えば、チューナ部とモニタ部とを分離し、チューナ部とモニタ部とが番組データを伝送するテレビジョン受信機に適用することで、機器間の配線が不要になるだけでなく、スループットが１００Ｍｂｐｓ以上の高速・大容量伝送を実現できるため、ハイビジョン高画質映像等の大容量の映像データを容易に伝送することが可能となる。
【０００３】
ここでＩＥＥＥ８０２．１１ｎ規格では、新たに気象レーダー等の業務用レーダーと共用する５ＧＨｚ帯の通信チャンネルを設けて、使用可能なチャンネル数を増やしている。ただし、共用チャンネルを利用する際は、業務用レーダーの使用を優先させその動作を干渉しないように電波法により規制され、共用チャンネルを利用する機器には、次の動作が義務付けられている。これらの動作を、動的周波数選択制御（Dynamic Frequency Selection、以下ＤＦＳ）と言う。
（１）運用前モニタリング（Channel Availability Check、以下ＣＡＣ）：ネットワーク開設前に、１分間レーダー波を検出して空きチャンネルを設定する。
（２）運用中モニタリング（In-Service Monitoring＝ＩＳＭ）と立ち退き(Channel Move Time、以下ＣＭＴ)：通常運用中、常時そのチャンネルのレーダー波を監視する。レーダー波検出時には、そのチャンネルの送信を１０ｓｅｃ以内に停止する。
（３）再利用規制（Non-Occupancy Period）：レーダー波検出チャンネルは、検出から３０分間送信を禁止する。
【０００４】
これらの動作に関連して、次の技術が提案されている。
特許文献１には、映像データをリアルタイムに伝送している最中に通信チャンネルの変更が必要にならないよう、事前にレーダー装置への干渉を起こさない通信チャンネルを選択する技術が開示される。すなわち、無線通信装置の設置位置を示す設置位置情報と、レーダー装置の設置位置情報等のレーダー装置を特定するためのレーダー情報とに基づいて、レーダー波存在の可能性を判定し、その結果に基づいて無線通信装置の通信チャンネルを選択するものである。
【０００５】
特許文献２には、特定優先電波（レーダー波）と周波数帯が重複する無線ＬＡＮのチャンネルに対して、その特定優先電波受信状態を調査する技術が開示される。すなわちその検出プログラムは、特定優先電波と周波数帯が重複する無線ＬＡＮの各チャンネルを順次選択して、電波を受信し、受信した電波から所定の識別基準に従って特定優先電波を識別するステップと、特定優先電波が検出されないチャンネルのいずれかを、無線ＬＡＮで使用するチャンネルとして設定するステップとを備えるものである。
【０００６】
【特許文献１】特開２００７−５３７２６号公報
【特許文献２】特開２００７−３２５０４１号公報
【発明の開示】
【発明が解決しようとする課題】
【０００７】
ＩＥＥＥ８０２．１１ｎ規格では、使用可能な伝送帯域としては、２．４ＧＨｚ帯と５ＧＨｚ帯があり、５ＧＨｚ帯には、レーダー波と共用するチャンネルとレーダー波と共用しないチャンネル（以下、通常波チャンネル）とがある。テレビジョン受信機で映像データを伝送する場合、当然なら高画質伝送が可能な５ＧＨｚ帯であって、レーダー波と干渉する恐れのない通常波チャンネルを用いて無線伝送を行なうのが望ましい。しかしながら、通常波チャンネルに空きがなくレーダー波共用チャンネルを使用せざるを得ない場合が発生する。
【０００８】
レーダー波共用チャンネルを使用する場合には、前記したようにレーダー波チャンネルから空きチャンネルを検出する動作（ＣＡＣ）を行う必要があり、チャンネルを確定し受信映像の無線伝送が可能になるまでに相当の時間（数分間）がかかってしまう。その間は無線送信が停止しているので、ユーザは所望の番組の開始部分を視聴できず、見逃してしまうことになる。
【０００９】
また、一旦レーダー波共用チャンネルにて通信を開始した後でも、前記したように使用チャンネルのレーダー波を監視し（ＩＳＭ）、検出した時にはそのチャンネルの無線送信を停止せねばならない（ＣＭＴ）。このため、ユーザは番組の途中部分を視聴できず、見逃してしまうという問題がある。
【００１０】
前記特許文献１は、レーダー装置の設置位置情報等に基づいて、干渉を起こさない通信チャンネルを予測して選択するものであるから、レーダー装置と当該無線通信装置の双方の位置が固定されていることを前提とする。よって、一方の位置が変化した場合には、通信途中で干渉を起こす恐れがあり、リアルタイム伝送を中断せねばならない。また、各無線通信装置はチャンネル選択のために、周辺地域に存在するレーダー装置の設置位置情報を取得し、かつ頻繁に最新の情報に更新しなければならならず、実用的とは言いがたい。
【００１１】
前記特許文献２は、特定優先電波（レーダー波）が検出されないチャンネルを選択し、使用するチャンネルに設定する方法に関するものであり、無線データ通信の中断による番組視聴の中断という問題については述べられていない。
【００１２】
本発明の目的は、レーダー波共用チャンネルを使用して映像データをモニタ部に無線伝送するテレビジョン受信機において、無線データ伝送が中断しても視聴番組を見逃すことのないテレビジョン受信機を提供することにある。
【課題を解決するための手段】
【００１３】
本発明のテレビジョン受信機は、チューナ部において、受信した番組を記録媒体に録画再生する録画再生部と、受信した番組または録画再生部にて再生した番組のデータをモニタ部へ無線送信し、無線送信のために業務用レーダーとチャンネルを共用することが可能な無線送信部と、無線送信に用いる空きチャンネルを検索し、業務用レーダー波の到来を検出する無線受信部とを有し、チューナ部が視聴すべき番組を受信すると、録画再生部は受信した番組を記録媒体に録画開始する。
【００１４】
また本発明のテレビジョン受信機は、チューナ部において、無線受信部による業務用レーダーと共用するチャンネルから空きチャンネル検出のため、受信した番組の無線送信が番組開始時刻に間に合わない場合、録画再生部は上記記録媒体に記録した番組を追いかけ再生して、無線送信部は再生された番組データをモニタ部に無線送信する。
【００１５】
また本発明のテレビジョン受信機は、チューナ部において、無線送信部が業務用レーダーと共用するチャンネルを使用して無線送信を開始後、無線受信部により当該チャンネルの業務用レーダー波の到来を検出したことにより当該チャンネルでの無線送信を停止し他の使用可能なチャンネルに切り替えるために無線データ送信を中断する場合、録画再生部は記録媒体に記録した番組を追いかけ再生して、無線送信部は再生された番組データをモニタ部に無線送信する。
【発明の効果】
【００１６】
本発明によれば、チューナ部とモニタ部とが番組データを無線にて伝送するテレビジョン受信機において、無線データ伝送の開始が遅れたり中断したとしても視聴番組の見逃しを回避し、ユーザの使い勝手を向上させることができる。
【発明を実施するための最良の形態】
【００１７】
以下、本発明の実施の形態を図面に基づいて説明する。
図１は、本発明のテレビジョン受信機の一実施例を示す全体構成図であり、ここでは概略構成を示す。本実施例のテレビジョン受信機は、放送番組を受信するチューナ部１と映像を表示再生、音声を再生出力するモニタ部２に分離し、チューナ部１とモニタ部２とは無線ＬＡＮ３にて映像・音声データ等を無線伝送する構成である。リモコン４からの操作は通常はモニタ部２にて受け付けるが、無線ＬＡＮ３による通信が中断している場合はチューナ部１にて受け付ける。また、無線ＬＡＮ３による通信が困難であるとき、チューナ部１とモニタ部２とを図示しないＨＤＭＩ（High Definition Multimedia Interface）などの有線ケーブルにて接続し、映像・音声データを伝送することも可能である。
【００１８】
チューナ部１は、放送波を受信し番組を選局するチューナ１０と、受信した映像音声信号を一旦記録媒体に録画する録画再生部１３と、チューナ１０または録画再生部１３からの映像音声信号等をモニタ部２へ送信する無線送信部１１と、無線通信用の空きチャンネルを検出するとともに、モニタ部２からのリモコン制御信号を受信する無線受信部１２と、無線通信中断時にリモコン４からの操作を受信するリモコン受信部１４を備える。
【００１９】
モニタ部２は、チューナ部１から送信された映像音声信号等を受信する無線受信部２１と、リモコン制御信号をチューナ部１へ送信する無線送信部２２と、無線通信中断時等に表示するメッセージを生成する警告表示データ生成部２３と、映像音声やメッセージを表示出力する表示部２０とを備える。
【００２０】
無線ＬＡＮ３は、ＩＥＥＥ８０２．１１ｎ規格に従い、５ＧＨｚ帯の通常波とレーダー共用波、及び２．４ＧＨｚ帯のいずれかのチャンネルを使用して、映像音声信号やレーダー検出信号、リモコン制御信号を伝送する。その際、レーダーと共用するチャンネルを使用するときは、前記したＤＦＳ動作に従い、その空きチャンネルを検出して使用する。そして、無線通信時は、共用しているチャンネルのレーダー波を常時監視し、レーダー波検出時には、そのチャンネルでの送信を停止して他の空きチャンネルに切り替えるものである。
【００２１】
本実施例のテレビジョン装置では、チューナ部１には録画再生部１３を設けた。この録画再生部１３は、チューナ１０にて番組を受信している期間は、受信した番組（映像音声信号）を自動的に記録媒体に録画する。そして、無線データ通信が中断した場合、中断した期間に送信すべき番組信号を無線通信再開後に記録媒体から追いかけ再生し、モニタ部２へ無線送信し、表示部２０にて表示視聴するものである。また本実施例では、モニタ部２に警告表示データ生成部２３を設けた。警告表示データ生成部２３は、無線データ通信が中断した場合に、番組視聴が中断する旨をユーザに伝える警告メッセージを作成し、表示部２０に表示する。また表示部２０では、無線中断時には視聴していた直前の静止画を表示することもできる。
【００２２】
この構成により、レーダー波共用チャンネルを使用する場合でも、チャンネル切り替え等により無線データ通信が中断しても視聴番組の見逃しを回避することができる。また、無線通信が中断した旨を表示することで、ユーザの使い勝手が向上する。
【００２３】
図２は、図１のチューナ部１の構成を詳細に説明する図である。
一対のチューナ１０ａ，１０ｂは、地上波、ＢＳ、ＣＳなどの各デジタル放送を受信し、ユーザ所望の番組を選局し、映像・音声ストリーム（ＭＰＥＧ２−ＴＳ）として出力する。チューナ１０ｂは裏番組録画用のものである。録画再生部１３は、映像・音声ストリームをハードディスク１３ａなどの記録媒体に記録し、また、記録した映像・音声ストリームを指示に従い追いかけ再生（タイムシフト再生）する。
【００２４】
追いかけ再生とは、放送された映像・音声データを一旦記録媒体に記録しておき、その後、所望の時間差をもって再生することである。これにより、あたかも放送番組をタイムシフトして受信したように表示することが可能となる。その際、一時停止や早送りの操作を組み合わせて再生することも可能である。
【００２５】
切替スイッチ１８は、チューナ１０ａで受信した映像・音声ストリーム、または録画再生部１１から再生した映像・音声ストリームを選択する。画質処理部１９は、伝送モードに応じてＩＰ変換（インタレース／プログレッシブ）やスケーリング処理（解像度変換）を行う。例えばＭＰＥＧ２フォーマットであれば、ＨＤ（High Definition）画質（約２４Ｍｂｐｓ）での伝送は無理であり、ＳＤ（Standard Definition）画質にスケーリング変換してデータの伝送容量を少なくして伝送する必要がある。
【００２６】
無線送信部１１は、画質処理部１９で処理した映像・音声ストリームを無線ＬＡＮ３を介してモニタ部２へ無線送信する。その際、ＩＥＥＥ８０２．１１ｎ規格の送信フォーマットに従い、５ＧＨｚ帯の通常波とレーダー共用波、及び２．４ＧＨｚ帯のいずれかのチャンネルを使用する。送信方式としては、多入力多出力方式（Multiple Input Multiple Output、以下ＭＩＭＯ）、変調方式としては直交周波数分割多重方式（ＯＦＤＭ）方式を採用する。ＭＩＭＯ方式とは、送信側では複数の送信アンテナから異なるデータを同一周波数で同一時間に重畳して伝送し、受信側では複数の受信アンテナで信号を受信し、デジタル信号処理で分離するものである。これにより、マルチパス歪みの少ない高速伝送を可能にしている。
【００２７】
無線受信部１２は、リモコン信号検出部１２ａ、通常波空きチャンネル検出部１２ｂ、レーダー波空きチャンネル検出部１２ｃを有する。リモコン信号検出部１２ａは、無線ＬＡＮ３を介してモニタ部２から送信されるリモコン制御信号を検出する。通常波空きチャンネル検出部１２ｂは、２．４ＧＨｚ帯または５ＧＨｚ帯の通常波（レーダーと共用しない）で、他の機器が使用していない空きチャンネルを検出する。レーダー波空きチャンネル検出部１２ｃは、前記したＤＦＳ動作に従い、５ＧＨｚ帯のレーダーと共用するチャンネルについて、レーダー波の存在しない空きチャンネルを検出するとともに、レーダー共用チャンネルを使用している場合は常時そのチャンネルのレーダー波の到来を監視する。そして、レーダー波を検出したときは「レーダー検出信号」を出力する。
【００２８】
無線用制御マイコン１６は、無線受信部１２の検出結果に基づいて、無線送信部１１へ制御信号を出力する。すなわち、空きチャンネルの検出結果に基づき、送信に用いる通信チャンネルを決定し、また必要に応じて他のチャンネルへの切り替えを行う。また、レーダー波検出時には「レーダー検出フラグ」を発行し、送信停止を指示する。「レーダー検出フラグ」は、無線送信部１１から無線ＬＡＮ３を介してモニタ部２へ送信される。
【００２９】
テレビ用制御マイコン１５は、チューナ部１全体の制御を行うとともに、リモコン制御信号に従い、チューナ１０ａ，１０ｂでの番組選局を制御する。その際、ユーザからの視聴番組予約を受け付け、予約番組の開始時刻より所定時間前に無線送受信部を自動的に起動させる。また、無線用制御マイコン１６からの無線送信制御信号に連動して、録画再生部１３での自動録画開始、追いかけ再生の開始と停止、切替スイッチ１８の選択を制御する。リモコン受信部１４は、無線通信中断時にリモコン４からの操作信号を受信し、テレビ用制御マイコン１５に伝える。これにより、無線通信中断時でも例えばチューナ部１の主電源をＯＦＦすることができる。
【００３０】
図３は、図１のモニタ部２の構成を詳細に説明する図である。
無線受信部２１は、チューナ部１から無線ＬＡＮ３を介して送信された映像・音声ストリームやレーダー検出フラグを受信する。ＴＳデコーダ２７は、受信した映像・音声ストリーム（ＭＰＥＧ２−ＴＳ）をデコード処理する。また、ＴＳデコーダ２７はフレームメモリを内蔵し、映像・音声ストリームの受信が中断した場合、メモリに保存されている映像データのフレームを繰返し読み出し静止画として出力する。
【００３１】
チューナ部１からレーダー検出フラグが送信されると、無線データ通信が中断して映像・音声ストリームを受信できなくなる。その場合無線用制御マイコン２６は、警告表示データ生成部２３に警告メッセージを作成させ、表示部２０に表示させる。警告メッセージは、例えば図８（ｂ）に示すように、「レーダー波が検出されました。無線チャンネルを変更しますので、しばらくお待ち下さい」と表示し、視聴が中断することを通知する。
【００３２】
切替スイッチ２８は、ＴＳデコーダ２７からの映像・音声信号（静止画を含む）、または警告表示データ生成部２３からの表示メッセージを選択する。スケーリング部２９は、表示部２０での表示フォーマットに合わせて解像度変換（ＨＤ→ＳＤ、ＳＤ→ＨＤ）を行う。表示部２０は映像・音声を表示し出力する。表示素子にはＰＤＰ、ＬＣＤ、有機ＥＬなどを用いる。
【００３３】
リモコン受信部２４は、リモコン４からの操作信号を受信し、これに従いモニタ用制御マイコン２５は、モニタ部２全体の制御を行う。また無線用制御マイコン２６は、リモコン制御信号を生成して、無線送信部２２からチューナ部１へ無線送信する。
【００３４】
図４は、無線ＬＡＮ３にて使用可能な周波数帯域を示す図である。
（ａ）は２．４ＧＨｚ帯であり、医療機器、電子レンジ、コードレスフォンなどでも使われている。データ伝送速度が実質１０Ｍｂｐｓ程度であるため、例えばＭＰＥＧ２フォーマットであれば、ＨＤ画質（約２４Ｍｂｐｓ）での伝送は無理であり、ＳＤ画質にスケーリング変換してデータの伝送容量を少なくして伝送する必要がある。
【００３５】
（ｂ）は５ＧＨｚ帯のうち、レーダーと共用しない帯域である。５ＧＨｚ帯では、伝送速度が１００Ｍｂｐｓ以上に向上し、ＨＤ画質の映像データを複数伝送することができる。また、レーダーと共用しない帯域なので、ＤＦＳ動作の規制を受けず、最も使いやすい帯域である。以下、これを通常波チャンネルと呼ぶ。
【００３６】
（ｃ）は５ＧＨｚ帯のうち、レーダーと共用する帯域である。この帯域は帯域幅が広く多くのチャンネルから選択することができる。しかし、同一周波数で運用する気象レーダーなどの業務用レーダーと共用するため、レーダーの動作を干渉せずこれを回避するようにＤＦＳ動作が義務付けられている。
【００３７】
本実施例のテレビジョン受信機では、使用する帯域の優先度を、（ｂ）５ＧＨｚ帯通常波、（ｃ）５ＧＨｚ帯レーダー共用波、（ａ）２．４ＧＨｚ帯の順とし、この順序に空きチャンネル選択する。そして、（ｂ）５ＧＨｚ帯通常波のチャンネルを選択できたときはこのチャンネルを維持する。（ｃ）５ＧＨｚ帯レーダー共用波のチャンネルを選択したときは、そのチャンネルのレーダー波を監視し、検出したときは退去して他のチャンネルを選択して切り替える。また、（ｃ）５ＧＨｚ帯レーダー共用波や（ａ）２．４ＧＨｚ帯のチャンネルを選択した場合は、送信しながらより優先度の高い帯域の空きチャンネルを検索し、使用可能であればそれへ切り替える。
【００３８】
なお、優先度についてはユーザの判断で決めても良く、（ｂ）５ＧＨｚ帯通常波よりも（ｃ）５ＧＨｚ帯レーダー共用波を優先して選択させることもできる。（ｂ）の通常波チャンネルは他の無線ＬＡＮシステムで使用される頻度が高く、チャンネルの空きがない場合が多いことが予想される。そのような環境では、むしろ（ｃ）のレーダー共用波の方が使いやすいからである。
【００３９】
図５は、本実施例のテレビジョン受信機における動作シーケンスを示す図である。（ａ）は番組受信動作、（ｂ）は無線通信動作、（ｃ）は録画動作、（ｄ）は再生・表示動作を示す。
【００４０】
ユーザは予め視聴する番組を予約（５０）しておき、チューナ部１は番組開始時刻（５１ａ）から予約された番組の受信（５１）を開始する。無線送受信１１，１２は、番組開始時刻（５１ａ）より所定時間前（例えば５分前）から自動起動し、通信に用いる空きチャンネルを検索（５２ａ）する。空きチャンネルを検出したら、そのチャンネルで通信（５３ａ）を開始し、番組データ（映像・音声信号）をモニタ部２へ送信する。
【００４１】
５ＧＨｚ帯レーダー共用波において空きチャンネル検索（５２ａ）を行う場合は、ＤＦＳ規格に従うためチャンネル確定まで時間を要し、予約番組開始時刻（５１ａ）に間に合わない場合がある。そこで本実施例では、番組受信開始（５１ａ）に合わせ、同じ時刻（５６ａ）から自動的にその番組の録画（５６）を開始させる。そして、通信（５３ａ）が可能になると、録画した番組をその開始点（５６ａ）から追いかけ再生（５８ａ）し、モニタ部２に無線送信して表示する。このようにすれば、番組開始部分から見逃すことなく視聴できる。また、番組開始時点で通信ができない期間は、その旨を示す警告メッセージ（５７ａ）を表示する。
【００４２】
５ＧＨｚ帯レーダー共用波のチャンネルを使用して通信（５３ａ）している場合は、ＤＦＳ規格に従い、使用しているチャンネルのレーダー波が到来していないかを常時監視（５４）する。もし、そのレーダー波を検出した場合（５４ｘ）は、そのチャンネルでの通信を直ちに中断（５５）し、また、追いかけ再生（５８ａ）を停止する。そして、他の使用可能な空きチャンネルを検索（５２ｂ）する。通信中断（５５）と空きチャンネル検索（５２ｂ）の期間は、その旨を示す警告メッセージ（５７ｂ）を表示する。
【００４３】
空きチャンネルが見つかれば、そのチャンネルに切り替えて通信（５３ｂ）を再開する。また、録画した番組について中断した位置（５６ｂ）から追いかけ再生（５８ｂ）を再開する。このようにして、番組の視聴中に通信が中断しても、通信復帰後中断した部分を自動的に追いかけ再生するので、番組の途中を見逃すことなく視聴できる。録画した番組の終了点（５６ｃ）まで追いかけ再生して、予約番組を全て視聴できる。
【００４４】
図６は、本実施例のテレビジョン受信機による番組視聴のフローチャートを示す図である。また、図８は表示部２０での警告表示例を示す。以下、ステップ順に説明する。
【００４５】
Ｓ６０１：ユーザはリモコン４を操作し、ＥＰＧ（電子番組ガイド）を用いて視聴する番組を予約する。
Ｓ６０２：番組開始より早めに（例えば５分前から）チューナ部１の電源を起動させ、視聴する番組の選局と無線送受信の準備を行う。
Ｓ６０３：無線受信部１２は、まず、５ＧＨｚ通常波チャンネル（以下ＣＨ）に空きがないかどうかを判定する。
【００４６】
Ｓ６０４：５ＧＨｚ通常波ＣＨに空きＣＨがあれば、そのＣＨを通信用ＣＨに決定する。
Ｓ６０５：無線送信部１１は、決定した通常波ＣＨにて、即時無線通信を開始する。
Ｓ６０６：モニタ部２は無線送信された番組データを受信し、表示部２０にてリアルタイム表示視聴する。
【００４７】
Ｓ６０７：Ｓ６０３で５ＧＨｚ通常波ＣＨに空きがなければ、録画再生部１３は、Ｓ６０１で予約されている視聴予約番組の自動録画を開始する。
Ｓ６０８：無線受信部１２は、５ＧＨｚレーダー共用波ＣＨから空きＣＨを検索する。これは、各チャンネルをスキャンし、ＤＦＳ規格に従い、レーダー波が検出されない状態が１分間継続したら空きＣＨであると判定する（ＣＡＣ動作）。
【００４８】
Ｓ６０９：５ＧＨｚレーダー共用波ＣＨに空きＣＨがあれば、そのＣＨを通信用ＣＨに決定する。
Ｓ６１０：無線送信部１１は、決定したレーダー共用波ＣＨにて無線通信を開始する。
Ｓ６１１：録画再生部１３は、記録媒体から録画した番組を追いかけ再生する。再生された番組データは無線送信され、モニタ部２の表示部２０にて視聴する。なお、追いかけ再生を開始するまでの期間、表示部２０には「通信ＣＨ設定のため視聴開始が遅れる」旨の警告表示を行う。その表示例を、図８（ａ）のメッセージ８０１に示す。
【００４９】
Ｓ６１２：レーダー共用波ＣＨの場合、ＤＦＳ規格に従い、無線受信部１２は通信しながら当該ＣＨにレーダー波が到来しないかを常時監視する（ＩＳＭ動作）。レーダー波が検出されなければ、Ｓ６１３を経由してＳ６１０に戻り現在のＣＨにて通信を継続する。
【００５０】
Ｓ６１３：レーダー波が検出されない場合にも、現在のＣＨより優先する通常波ＣＨでの空きＣＨを検索する。空きＣＨが見つかればそれに切り替える（この工程を「ＣＨ検索Ａ」とし、図７（ａ）で後述する）。
【００５１】
Ｓ６１４：レーダー波が検出された場合、ＤＦＳ規格に従い当該チャンネルの使用が禁止されるので、録画再生部１３での追いかけ再生を一時停止する。
Ｓ６１５：モニタ部２にレーダー波が検出されたことを示す「レーダー検出フラグ」を送信し、表示部２０に、「レーダー波の検出によるチャンネル変更のため、視聴が中断する」旨の警告表示を行う。その表示例を、図８（ｂ）のメッセージ８０２に示す。合わせて表示部２０では、再生停止直前の静止画を表示する。
Ｓ６１６：ＤＦＳ規格に従い、当該ＣＨでの無線送信を完全に停止する。以後、３０分間当該ＣＨの使用が禁止される。この場合、Ｓ６０３に戻り、他の使用可能なＣＨを検索する。可能なＣＨが見つかれば、それにＣＨを切り替える。
【００５２】
Ｓ６１７：Ｓ６０８で５ＧＨｚレーダー共用波ＣＨに空きＣＨがない場合は、２．４ＧＨｚ帯の空きＣＨを検索する。
Ｓ６１８：２．４ＧＨｚ帯に空きＣＨがあれば、そのＣＨを通信用ＣＨに決定する。
Ｓ６１９：無線送信部１１は、決定した２．４ＧＨｚ帯ＣＨにて無線通信を開始する。
Ｓ６２０：録画再生部１３は、記録媒体から録画した番組を追いかけ再生する。再生された番組データは無線送信され、モニタ部２の表示部２０にて視聴する。ただし、２．４ＧＨｚ帯では伝送容量が小さいので、ＨＤ画質の場合は画質処理部１９にてＳＤ画質に変換して送信する。
【００５３】
Ｓ６２１：現在のＣＨより優先する５ＧＨｚ帯ＣＨでの空きＣＨを検索する。空きＣＨが見つかればそれに切り替える（この工程を「ＣＨ検索Ｂ」とし、図７（ｂ）で後述する）。
【００５４】
Ｓ６２２：Ｓ６１７で２．４ＧＨｚ帯に空きＣＨがなければ、「空きＣＨがないため、無線通信ができない」こと、「視聴予約番組は録画保存していること」、「即時視聴したい場合は、ＨＤＭＩケーブルにて接続してください」などの警告表示を行う。その表示例を、図８（ｃ）のメッセージ８０３に示す。そしてＳ６０３に戻り、使用可能なＣＨを検索する。可能なＣＨが見つかれば、そのＣＨにて通信を開始する。
【００５５】
以上述べたフローチャートは一例であり、次のような変形が可能である。
Ｓ６０４の自動録画開始は、Ｓ６０３（通常波の空きＣＨの検出）の前、あるいはＳ６０２（チューナ部の自動起動）と同時に行っても良い。
Ｓ６０３（通常波の空きＣＨ検索）と、Ｓ６０８（レーダー波の空きＣＨ検索）は、一連のスキャン動作として実行することが可能である。また、空きＣＨの帯域をＳ６０３（通常波）よりもＳ６０８（レーダー波）を優先させて選択することも可能である。
Ｓ６１５とＳ６２２は、番組視聴が中断したりできない場合の警告表示であるが、そのメッセージ内容は図８に示すものに限定するものではない。これらを単独に、または組み合わせて表示しても良い。
【００５６】
図７は、図６のチャンネル検索工程（Ｓ６１３、Ｓ６２１）の詳細を示すフローチャートである。
（ａ）のチャンネル検索Ａ（Ｓ７００＝Ｓ６１３）は、一旦レーダー波のＣＨにて通信を開始した後、より優先度の高い５ＧＨｚ通常波のＣＨを検索するものである。Ｓ７０１では、５ＧＨｚ通常波ＣＨに空きがないかどうかを判定する。空きＣＨがあれば、Ｓ７０２で通常波空きＣＨに切り替え、Ｓ６０５に進み通常波ＣＨにて無線通信を継続する。通常波ＣＨに空きがなければ、Ｓ７０３で現在のＣＨを維持し、Ｓ６１０に戻りレーダー波ＣＨにて無線通信を継続する。
【００５７】
（ｂ）のチャンネル検索Ｂ（Ｓ７１０＝Ｓ６２１）は、一旦２．４ＧＨｚ帯のＣＨにて通信を開始した後、より優先度の高い５ＧＨｚ通常波またはレーダー波のＣＨを検索するものである。Ｓ７１１では、５ＧＨｚ通常波ＣＨに空きがないかどうかを判定する。空きＣＨがあれば、Ｓ７１２で通常波空きＣＨに切り替え、Ｓ６０５に進み通常波ＣＨにて無線通信を継続する。通常波ＣＨに空きがなければ、Ｓ７１３で、５ＧＨｚレーザー波ＣＨに空きがないかどうかを判定する。空きＣＨがあれば、Ｓ７１４でレーダー波空きＣＨに切り替え、Ｓ６１０に進みレーダー波ＣＨにて無線通信を継続する。レーダー波ＣＨに空きがなければ、Ｓ７１５で現在のＣＨを維持し、Ｓ６１９に戻り２．４ＧＨｚ帯ＣＨにて無線通信を継続する。
【００５８】
本実施例によれば、次のような効果がある。
（１）レーダーと共用するチャンネルを利用して無線通信を開始する場合、レーダー波空きチャンネルの検出のために通信開始時刻が番組開始時刻に間に合わない場合がある。その場合にも、視聴予約番組を自動録画開始しそれを追いかけ再生して視聴することで、ユーザは番組開始部分を見逃すことがない。
（２）レーダーと共用するチャンネルを使用して無線通信を行っている場合、レーダー波が到来するとチャンネル切り替えのために通信が中断する。その場合にも、記録媒体に記録した番組を追いかけ再生して視聴できるので、ユーザは番組の途中部分を見逃すことがない。
（３）無線通信に使用する帯域に優先度を設定しておき、優先する帯域の順に通信可能なチャンネルを選択する。優先度の低い帯域のチャンネルを選択した場合でも、通信しながらより優先度の高い帯域のチャンネルを検索して切り替えることができる。
（４）無線データ通信が中断して番組視聴ができないとき、モニタ部にはその旨の警告表示を行うので、ユーザの使い勝手が向上する。
【図面の簡単な説明】
【００５９】
【図１】本発明のテレビジョン受信機の一実施例を示す全体構成図。
【図２】図１のチューナ部１の構成を詳細に説明する図。
【図３】図１のモニタ部２の構成を詳細に説明する図。
【図４】無線ＬＡＮ３にて使用可能な周波数帯域を示す図。
【図５】本実施例における動作シーケンスを示す図。
【図６】本実施例による番組視聴のフローチャートを示す図。
【図７】図６の工程（Ｓ６１３、Ｓ６２１）の詳細を示すフローチャート。
【図８】表示部２０での警告表示の例を示す図。
【符号の説明】
【００６０】
１…チューナ部
２…モニタ部
３…無線ＬＡＮ
４…リモコン
１０…チューナ
１１，２１…無線送信部
１２，２２…無線受信部
１３…録画再生部
１４，２４…リモコン受信部
１５…テレビ用制御マイコン
１６…無線用制御マイコン
２０…表示部
２３…警告表示データ生成部
２５…モニタ用制御マイコン
２６…無線用制御マイコン。
【図１】
2010062968.tif 000003
【図２】
2010062968.tif 000004
【図３】
2010062968.tif 000005
【図４】
2010062968.tif 000006
【図５】
2010062968.tif 000007
【図６】
2010062968.tif 000008
【図７】
2010062968.tif 000009
【図８】
2010062968.tif 000010